(57)【特許請求の範囲】
【請求項１】
少なくとも基材層を有する外蓋と少なくとも最内層にイージーピール性樹脂層を有する内蓋とが接着樹脂層を介して積層され外周縁に外方に突出する摘み部を備えた構成からなり、開口部周縁にフランジ部が設けられた容器のフランジ部に熱接着して該容器を密封する蓋材であって、
前記外蓋と前記内蓋との間に剥離剤層を備えた易剥離領域と、前記易剥離領域に隣接して配設された非剥離領域とを有し、
前記易剥離領域内には前記イージーピール性樹脂層側から前記内蓋と前記接着樹脂層を貫通する閉じた形状の開口用切目が形成され、
前記摘み部と前記開口用切目との間で前記内蓋を二分し前記イージーピール性樹脂層側から前記内蓋と前記接着樹脂層を貫通する剥離開始用切目が形成され、
前記イージーピール性樹脂層が、少なくとも最内層側から熱接着性樹脂層と前記熱接着性樹脂層の樹脂より融点が高い樹脂を含む樹脂からなるコア層が積層され、前記熱接着性樹脂層と前記コア層が剥離可能に積層されてなり、
蓋材を前記容器のフランジ部に熱接着して前記容器を密封した後、蓋材の前記摘み部を摘み引っ張り上げたとき、熱接着部の外縁で、前記イージーピール性樹脂層の前記熱接着性樹脂層が破断し、さらに前記熱接着性樹脂層と前記コア層との間で層間剥離が起こり、開封が開始されることを特徴とする蓋材。
【請求項２】
少なくとも基材層を有する外蓋と少なくとも最内層にイージーピール性樹脂層を有する内蓋とが接着樹脂層を介して積層され外周縁の対向する位置に外方に突出する開封用摘み部と湯切り孔形成用摘み部を備えた構成からなり、開口部周縁にフランジ部が設けられた容器のフランジ部に熱接着して該容器を密封する蓋材であって、
前記湯切り孔形成用摘み部側より開封用摘み部側に向かって、前記外蓋と前記内蓋との間に剥離剤層を備えた易剥離領域と、前記易剥離領域に隣接して配設された非剥離領域とを有し、
前記易剥離領域内には前記イージーピール性樹脂層側から前記内蓋と前記接着樹脂層を貫通する複数個の湯切り口形状の湯切り孔切目が形成され、
前記湯切り孔形成用摘み部と前記湯切り孔切目との間で前記内蓋を二分し前記イージーピール性樹脂層側から前記内蓋と前記接着樹脂層を貫通する湯切り孔形成用切目が形成され、
前記イージーピール性樹脂層が、少なくとも最内層側から熱接着性樹脂層と前記熱接着性樹脂層の樹脂より融点が高い樹脂を含む樹脂からなるコア層が積層され、前記熱接着性樹脂層と前記コア層が剥離可能に積層されてなり、
蓋材を前記容器のフランジ部に熱接着して前記容器を密封した後、蓋材の前記湯切り孔形成用摘み部を摘み引っ張り上げたとき、熱接着部の外縁で、前記イージーピール性樹脂層の前記熱接着性樹脂層が破断し、さらに前記熱接着性樹脂層と前記コア層との間で層間剥離が起こり、開封が開始されることを特徴とする蓋材。
【発明の詳細な説明】
【技術分野】
【０００１】
本発明は、スナック食品や即席麺等を包装するトレー状やカップ状等の容器に熱接着して密封する蓋材に関し、詳しくは、外蓋を剥離することにより内蓋に振出口や排湯口を形成することができる蓋材に関する。
【背景技術】
【０００２】
従来、外蓋を剥離することにより内蓋に開口が形成される構成の容器の蓋材としては、例えば、外側から紙、ポリエチレン、アルミニウム箔、シール剤が積層されて成り、紙とポリエチレンとの層間に離型剤の塗布された剥離領域と、該剥離領域内に配置された非剥離領域と、該剥離領域に隣接して配置された別の非剥離領域とに区画され、シール剤層から紙層の中間部に至る排湯の開口形成用ハーフカットが形成され、剥離領域内にあるつまみの首部にはシール剤層から紙層の中間部に至る剥離用ハーフカットが形成されている構成の蓋材であり、剥離用ハーフカットが形成された部分から剥離領域を剥離させることにより、剥離用ハーフカットに囲まれた領域が抜き取られて容器に接着した蓋材の一部に開口が形成される構成の蓋材が知られている（例えば、特許文献１参照）。
【０００３】
しかしながら、上記構成の蓋材では、容器のフランジ部に熱接着される際に、蓋材と容器との位置ズレが生じ、剥離用ハーフカット部分が容器のフランジ部に重なる位置で熱接着されると、熱接着により剥離用ハーフカットされたシール剤層が再接着し、ハーフカットの効果が消滅し開口が形成されないことが時たまあるという欠点を有している。
【先行技術文献】
【特許文献】
【０００４】
【特許文献１】実開昭５７−１２０４７２号公報
【発明の概要】
【発明が解決しようとする課題】
【０００５】
そこで本発明の目的は、外蓋と内蓋とを開口用切目より剥離させて内蓋に開口を容易に形成することができる蓋材を提供することにある。
【課題を解決するための手段】
【０００６】
本発明は、上記課題を達成するためになされたものであり、請求項１記載の本発明は、少なくとも基材層を有する外蓋と少なくとも最内層にイージーピール性樹脂層を有する内蓋とが接着樹脂層を介して積層され外周縁に外方に突出する摘み部を備えた構成からなり、開口部周縁にフランジ部が設けられた容器のフランジ部に熱接着して該容器を密封する蓋材であって、前記外蓋と前記内蓋との間に剥離剤層を備えた易剥離領域と、前記易剥離領域に隣接して配設された非剥離領域とを有し、前記易剥離領域内には前記イージーピール性樹脂層側から前記内蓋と前記接着樹脂層を貫通する閉じた形状の開口用切目が形成され、前記摘み部と前記開口用切目との間で前記内蓋を二分し前記イージーピール性樹脂層側から前記内蓋と前記接着樹脂層を貫通する剥離開始用切目が形成され、前記イージーピール性樹脂層が、少なくとも最内層側から熱接着性樹脂層と前記熱接着性樹脂層の樹脂より融点が高い樹脂を含む樹脂からなるコア層が積層され、前記熱接着性樹脂層と前記コア層が剥離可能に積層されてなり、蓋材を前記容器のフランジ部に熱接着して前記容器を密封した後、蓋材の前記摘み部を摘み引っ張り上げたとき、熱接着部の外縁で、前記イージーピール性樹脂層の前記熱接着性樹脂層が破断し、さらに前記熱接着性樹脂層と前記コア層との間で層間剥離が起こり、開封が開始されることを特徴とする蓋材である。
【０００７】
また、請求項２記載の本発明は、少なくとも基材層を有する外蓋と少なくとも最内層にイージーピール性樹脂層を有する内蓋とが接着樹脂層を介して積層され外周縁の対向する位置に外方に突出する開封用摘み部と湯切り孔形成用摘み部を備えた構成からなり、開口部周縁にフランジ部が設けられた容器のフランジ部に熱接着して該容器を密封する蓋材であって、前記湯切り孔形成用摘み部側より開封用摘み部側に向かって、前記外蓋と前記内蓋との間に剥離剤層を備えた易剥離領域と、前記易剥離領域に隣接して配設された非剥離領域とを有し、前記易剥離領域内には前記イージーピール性樹脂層側から前記内蓋と前記接着樹脂層を貫通する複数個の湯切り口形状の湯切り孔切目が形成され、前記湯切り孔形成用摘み部と前記湯切り孔切目との間で前記内蓋を二分し前記イージーピール性樹脂層側から前記内蓋と前記接着樹脂層を貫通する湯切り孔形成用切目が形成され、前記イージーピール性樹脂層が、少なくとも最内層側から熱接着性樹脂層と前記熱接着性樹脂層の樹脂より融点が高い樹脂を含む樹脂からなるコア層が積層され、前記熱接着性樹脂層と前記コア層が剥離可能に積層されてなり、蓋材を前記容器のフランジ部に熱接着して前記容器を密封した後、蓋材の前記湯切り孔形成用摘み部を摘み引っ張り上げたとき、熱接着部の外縁で、前記イージーピール性樹脂層の前記熱接着性樹脂層が破断し、さらに前記熱接着性樹脂層と前記コア層との間で層間剥離が起こり、開封が開始されることを特徴とする蓋材である。
【発明の効果】
【０００８】
本発明の請求項１記載の蓋材は、少なくとも基材層を有する外蓋と少なくとも最内層にイージーピール性樹脂層を有する内蓋とが接着樹脂層を介して積層され外周縁に外方に突出する摘み部を備えた構成からなり、開口部周縁にフランジ部が設けられた容器のフランジ部に熱接着して該容器を密封する蓋材であって、前記外蓋と前記内蓋との間に剥離剤層を備えた易剥離領域と、前記易剥離領域に隣接して配設された非剥離領域とを有し、前記易剥離領域内には前記イージーピール性樹脂層側から前記内蓋と前記接着樹脂層を貫通する閉じた形状の開口用切目が形成され、前記摘み部と前記開口用切目との間で前記内蓋を二分し前記イージーピール性樹脂層側から前記内蓋と前記接着樹脂層を貫通する剥離開始用切目が形成され、前記イージーピール性樹脂層が、少なくとも最内層側から熱接着性樹脂層とコア層が剥離可能に積層されてなる構成とすることにより、開口用切目が形成された部分より外蓋を内蓋から剥離させることにより、内蓋の開口用切目に囲まれた領域が外蓋に接着した状態で取り除かれるので容易に内蓋に開口を形成できる。特に、前記イージーピール性樹脂層が、少なくとも最内層側から熱接着性樹脂層とコア層が剥離可能に積層されてなる構成とすることにより、蓋材を容器のフランジ部に熱接着される際に、蓋材と容器との位置ズレを生じ、剥離開始用切目が容器のフランジ部に重なる位置で熱接着されても、摘み部を引っ張り上げると、まず、フランジ部に熱接着された外側周縁で蓋材の熱接着性樹脂層の破断が起こり、ついで熱接着性樹脂層とコア層との間で剥離し、剥離が剥離開始用切目に達すると剥離する層間が剥離剤層と接着樹脂層間に移行し、易剥離領域において外蓋が内蓋から確実に剥離させることができる。
【０００９】
また、請求項２記載の本発明は、少なくとも基材層を有する外蓋と少なくとも最内層にイージーピール性樹脂層を有する内蓋とが接着樹脂層を介して積層され外周縁の対向する位置に外方に突出する開封用摘み部と湯切り孔形成用摘み部を備えた構成からなり、開口部周縁にフランジ部が設けられた容器のフランジ部に熱接着して該容器を密封する蓋材であって、前記湯切り孔形成用摘み部側より開封用摘み部側に向かって、前記外蓋と前記内蓋との間に剥離剤層を備えた易剥離領域と、前記易剥離領域に隣接して配設された非剥離領域とを有し、前記易剥離領域内には前記イージーピール性樹脂層側から前記内蓋と前記接着樹脂層を貫通する複数個の湯切り口形状の湯切り孔切目が形成され、前記湯切り孔形成用摘み部と前記湯切り孔切目との間で前記内蓋を二分し前記イージーピール性樹脂層側から前記内蓋と前記接着樹脂層を貫通する湯切り孔形成用切目が形成され、前記イージーピール性樹脂層が、少なくとも最内層側から熱接着性樹脂層とコア層が剥離可能に積層されてなる構成の蓋材とすることにより、容器に熱接着された蓋材の湯切り孔形成用摘み部を引っ張り上げると上記の効果を奏し、内蓋に容易に湯切り口を形成できる。また、開封用摘み部を引っ張り上げると蓋材を容器より容易に剥離することができる。
【図面の簡単な説明】
【００１０】
【図１】本発明に係る蓋材の第一実施形態を示す（イ）が平面図、（ロ）が底面図である。
【図２】第一実施形態の積層構成を示す図１（イ）におけるＸ−Ｘ断面図である。
【図３】本発明に係る第一実施形態の蓋材を容器開口部に接着した状態を示す断面図である。
【図４】容器開口部に接着した第一実施形態の蓋材の外蓋を部分的に剥離した状態を示す断面図である。
【図５】本発明に係る蓋材の第二実施形態を示す（イ）が平面図、（ロ）が底面図である。
【図６】第二実施形態の積層構成を示す図５（イ）におけるＹ−Ｙ断面図である。
【図７】本発明に係る第二実施形態の蓋材を容器開口部に接着した状態を示す部分断面図である。
【図８】容器開口部に接着した第二実施形態の蓋材の外蓋を部分的に剥離した状態を示す部分断面図である。
【発明を実施するための形態】
【００１１】
上記の本発明について、図面等を用いて以下に詳述する。
図１は本発明に係る蓋材の第一実施形態を示す（イ）が平面図、（ロ）が底面図、図２は第一実施形態の積層構成を示す図１（イ）におけるＸ−Ｘ断面図、図３は本発明に係る第一実施形態の蓋材を容器開口部に接着した状態を示す断面図、図４は容器開口部に接着した第一実施形態の蓋材の外蓋を部分的に剥離した状態を示す断面図、図５は本発明に係る蓋材の第二実施形態を示す（イ）が平面図、（ロ）が底面図、図６は第二実施形態の積層構成を示す図５（イ）におけるＹ−Ｙ断面図、図７は本発明に係る第二実施形態の蓋材を容器開口部に接着した状態を示す部分断面図、図８は容器開口部に接着した第二実施形態の蓋材の外蓋を部分的に剥離した状態を示す部分断面図であり、図中の２は摘み部、２’ａは湯切り孔形成用摘み部、２’ｂは開封用摘み部、３は開口用切目、３’は湯切り孔切目、４は剥離開始用切目、４’は湯切り孔形成用切目、５はフランジ部、６は熱接着部、７は開口、８は湯切り孔、１０、１０’は外蓋、１１は基材層、１２は剥離剤層、１３は表面層、１４は接着剤層、２０は接着樹脂層、３０は内蓋、３１はイージーピール性樹脂層、３１ａは熱接着性樹脂層、３１ｂはコア層、３１ｃはラミネート樹脂層、３２は中間層、Ａ、Ａ’は蓋材、Ｂ、Ｂ’は容器、Ｓは易剥離領域、Ｎは非剥離領域をそれぞれ示す。
【００１２】
本発明に係る蓋材の第一実施形態は図１、図２に示す通りである。図１に示すように蓋材Ａは、外周縁に外方に突出する摘み部２を備えた略円形状であり、容器の開口部周縁に設けられたフランジ部に熱接着して容器を密封する蓋材として使用されるものである。蓋材Ａの大きさは、容器のフランジ部の外周縁と略同じ大きさか、あるいはやや大きくするのが好ましく、蓋材Ａの形状はフランジ部の外周縁の形状に合わせて決定すればよく、例えば円形、楕円形、角形等である。図１の（イ）は、蓋材Ａの外面側から見た平面図であり、外蓋１０が見えている状態を示す。蓋材Ａの外面には販売促進のためのデザインや商品の内容等について印刷が施されている（図示しない）。図１の（ロ）は蓋材Ａの内面側（容器に熱接着される面側）から見た底面図であり、内蓋３０を構成するイージーピール性樹脂層３１が見えている状態を示している。蓋材Ａの内面には角丸の略四角形の開口用切目３が形成されている。開口用切目３は閉じた形状であれば、四角形に限定されるものではなく、内容物の振出やすさ、注ぎやすさにより任意に形成すればよく、さらに内容物が固体、液体、粉体等の性状により振出量や注出量をコントロールするために開口用切目３を複数個形成してもよい。ただし、開口用切目３を形成する位置は、フランジ部の内周縁の近傍に形成する方が、内容物が容器内に残存する量が少なくなるので好ましい。また、摘み部２と開口用切目３との間には、内蓋３０を二分して剥離開始用切目４が形成されている。
【００１３】
図２は、本発明の蓋材Ａの図１（イ）におけるＸ−Ｘ断面図を示す。図２に示すように本発明の蓋材Ａは、基材層１１を有する外蓋１０と、中間層３２としてアルミニウム箔と最内層にイージーピール性樹脂層３１が積層された内蓋３０とが接着樹脂層２０を介して積層された構成である。外蓋１０と内蓋３０との間には、剥離剤層１２を備えた易剥離領域Ｓと、易剥離領域Ｓに隣接して剥離剤層を有していない非剥離領域Ｎとが配設されている。易剥離領域Ｓは、摘み部２側の剥離開始用切目４、開口用切目３を含む領域に形成され、蓋材Ａの約２／５の部分で非剥離領域Ｎと区画されている。易剥離領域Ｓは、通常、蓋材Ａの面積の半分以下でよい。なお、分かりやすくするために図１（ロ）に易剥離領域Ｓを点線柄で透視して示した。易剥離領域Ｓ内にはイージーピール性樹脂層３１側から内蓋３０と接着樹脂層２０を貫通する閉じた形状の開口用切目３が形成され、開口用切目３で囲まれた領域内は剥離剤層がなく接着樹脂層２０を介して内蓋３０と外蓋１０は接着されている。開口用切目３に囲まれた領域内に剥離剤層があってもよいが、剥離剤層がない方が内蓋３０に確実に開口部が形成できるので好ましい。また、摘み部２と開口用切目３との間には内蓋３０を二分しイージーピール性樹脂層３１側から内蓋３０と接着樹脂層２０を貫通する剥離開始用切目４が形成されている。剥離開始用切目４はフランジ部に略沿った形状で形成されている。なお、剥離開始用切目４が容器のフランジ部より開口部側と対向する位置にならないように形成することが肝要である。
【００１４】
イージーピール性樹脂層３１は、最内層側から熱接着性樹脂層３１ａと、熱接着性樹脂層３１ａを構成する樹脂より融点が高い樹脂を含む樹脂からなるコア層３１ｂと、ラミネート樹脂層３１ｃが、この順に積層された３層構成である。最内層となる熱接着性樹脂層３１ａは、１０５℃未満の低融点の樹脂からなり容易に容器のフランジ部に接着可能とされている。コア層３１ｂは、熱接着性樹脂層３１ａを構成する樹脂より融点が高く、１１０℃以上の高融点の樹脂を含む樹脂からなる層である。このコア層３１ｂに含まれる高融点の樹脂は、熱接着性樹脂層３１ａを構成する樹脂の融点と融点差が大きいほうが蓋材を容器のフランジ部に熱接着する温度範囲が広くなるので好ましい。この熱接着性樹脂層３１ａとコア層３１ｂの接着強度は、熱接着性樹脂層３１ａと容器との熱接着強度より弱くされており、蓋材Ａが熱接着された容器から蓋材を引っ張り上げて開封する際、コア層３１ｂと熱接着性樹脂層３１ａとの間で層間剥離するようにされている。さらに、熱接着性樹脂層３１ａの厚みは１０μｍ以下と薄くされており、より好ましくは５μｍ以下とされており、蓋材の開封開始点では熱接着性樹脂層３１ａが容易に破断する構成とされている。また、ラミネート樹脂層３１ｃは、中間層を積層しない構成の場合には接着樹脂層２０に、中間層を積層する構成の場合には中間層３２に接着しやすくするための層である。
【００１５】
蓋材を構成する外蓋１０の積層構成としては、基材層１１の表面に透明なプラスチックフィルムを表面層として積層することができる。表面層を積層することにより、基材層１１に印刷された印刷インキの保護ができると共に表面に艶や艶消しを付加し、蓋材に高級感を与えることができる。また、内蓋３０には、第一実施形態のように中間層３２を積層することもできる。蓋材に要求されるガスバリア性、防湿性、耐突き刺し性等の内容物保護機能や表面光沢、耐摩擦性等の表面物性性能により積層構成および各層に使用する素材が適宜、決定される。
【００１６】
次に、本発明の蓋材を構成する各層について説明する。外蓋１０を構成する表面層には、ポリエステル、ポリプロピレン、ナイロン、ポリ乳酸等のプラスチックフィルムや、あるいはこれらのプラスチックフィルムに酸化珪素や酸化アルミ等の無機酸化物を蒸着したプラスチックフィルムが用いられる。プラスチックフィルムとしては、二軸延伸されたフィルムが好ましく、厚さは通常９〜４０μｍ程度とするのがよい。
【００１７】
外蓋１０を構成する基材層１１としては、ポリエステル、ポリプロピレン、ナイロン、ポリ乳酸等のプラスチックフィルムや、ポリプロピレン、ポリエステル、ポリスチレン等の合成紙や、紙が用いられる。また、これらのいずれかを組合わせて積層したものが用いられる。プラスチックフィルムの厚みは９〜４０μｍ程度であり、合成紙の厚みは６０〜３００μｍである。紙を用いる場合には、印刷適性の優れた片面コート紙、両面コート紙が好ましい。また、紙の厚さとしては、外蓋１０に表面層を積層する場合には３０〜１００ｇ／ｍ2 程度であり、表面層を積層しない場合には５０〜１３０ｇ／ｍ2 程度である。
【００１８】
剥離剤層１２を形成する剥離剤としては、例えば、硝化綿系、ポリアミド系、ポリエステル系、アクリル系、ウレタン系、アルキッド系の樹脂が挙げられ、これらを単独若しくは二つ以上組合わせてインキとしグラビア印刷、フレキソ印刷等の加工法でパートコートして所定の位置に剥離剤層１２を形成することができる。剥離剤にはワックスやシリコンなどを添加剤として混合して接着樹脂層との剥離強度を調整することもできる。また、剥離剤層１２と基材層１１との間には例えば硝化綿系、ポリエステル系、アクリル系、ウレタン系、アルキッド系等の樹脂を単独若しくは二つ以上組合わせて混合した目止め剤を用いてアンダーコート層を設けてもよい。特に、片面コート紙の非コート面に剥離剤層１２を設ける場合には好ましい。
【００１９】
外蓋１０と内蓋３０を接着させる接着樹脂層２０としては、ポリエチレン、エチレン／酢酸ビニル共重合体、エチレン／アクリル酸共重合体、エチレン／メタアクリル酸共重合体、アイオノマー、ポリプロピレン等の熱可塑性樹脂を用いることができ、これらを熱溶融押出しして外蓋１０と内蓋３０とを押出しラミネーション法により積層する。また、接着樹脂層２０は、エマルジョン接着剤やドライラミ接着剤を用いてロールコート、グラビアコート、キスコート等によりウエットラミネーション法、ドライラミネーション法により積層することもできるが、生産性の高い押出しラミネーション法が好ましい。
【００２０】
内蓋３０を構成する中間層には、表面層に用いたプラスチックフィルムや、エチレン／ビニルアルコール共重合体、塩化ビニリデン、ポリビニルアルコール等のプラスチックフィルムや、アルミニウム箔等が用いられる。厚さは通常９〜４０μｍ程度である。
【００２１】
内蓋３０を構成するイージーピール性樹脂層３１は、特に熱接着性樹脂層３１ａの厚さを薄くする必要があり、共押出し法により製造するのが好ましい。熱接着性樹脂層３１ａに使用される樹脂は、１０５℃未満の低融点の樹脂が使用され、蓋材が熱接着される容器の樹脂の種類により選定される。例えば、ポリエチレン、エチレン／酢酸ビニル共重合体、エチレン／（メタ）アクリル酸共重合体、エチレン／（メタ）アクリル酸エステル共重合体、アイオノマー等のポリオレフィン系樹脂、ポリスチレン、ポリエステル等の樹脂が挙げられ、これらの樹脂単体もしくは二つ以上の樹脂を混合して用いられる。
コア層３１ｂに使用される樹脂は、少なくとも１１０℃以上の高融点の樹脂を含む樹脂からなる層である。高融点の樹脂としては、中密度あるいは高密度ポリエチレン、ポリプロピレン等の樹脂が挙げられる。コア層３１ｂは熱接着性樹脂層３１ａと剥離可能に接着させる必要があり、コア層３１ｂに用いられる樹脂としては、熱接着性樹脂層３１ａに用いられる樹脂と上記高融点の樹脂と例えば酸変性ポリオレフィン等の接着性樹脂とこれらの樹脂の相溶性を大きくするための相溶化剤を含む混合樹脂である。また、ラミネート樹脂層３１ｃは、コア層３１ｂと同様の混合樹脂で構成される。
【００２２】
本発明の蓋材が熱接着して取付けられる容器に使用される樹脂としては、ポリスチレン、ポリプロピレン、ポリエチレン、ポリエステル、エチレンビニルアルコール共重合体等が挙げられる。これらの樹脂をシートや発泡シートとし、これらのシートを単体もしくは積層して、真空成形、圧空成形、真空圧空成形することにより作製した成形容器、あるいは、これらの樹脂を射出成形することにより作製したインジェクション容器が使用できる。また、インジェクション容器には上記樹脂に発泡剤を混合して発泡樹脂製のインジェクション容器も使用できる。
【００２３】
次に、開口用切目３、剥離開始用切目４の形成方法について説明する。基材層１１の内面に形成される開口用切目３および剥離開始用切目４は、基材層１１に剥離剤層１２が形成された外蓋１０と、中間層３２とイージーピール性樹脂層３１とが積層された内蓋３０を、接着樹脂層２０を介して積層して蓋材用の積層体を作製した後に、内蓋３０のイージーピール性樹脂層３１側からハーフカットを行うことにより形成されるものである。
【００２４】
図３は、本発明の第一実施形態の蓋材Ａを容器開口部に接着した状態を示す断面図である。本発明の蓋材Ａの使用状態は、図３に示すように、円形の開口部周縁にフランジ部が設けられた容器Ｂのフランジ部５に蓋材Ａを熱接着して取付けられ、容器Ｂが蓋材Ａで密封されるものである。熱接着部６は蓋材Ａの周縁より内側の位置に所定巾で円周状に形成される。蓋材Ａを容器Ｂに熱接着して熱接着部６にて取り付けた際に、剥離開始用切目４が熱接着部６の外側に位置するか、乃至は熱接着部６内に位置していてもよい。なお、図３では、剥離開始用切目４がフランジ部５と重なった位置、つまり、熱接着部６内にある状態の例を示している。従来の蓋材であれば剥離開始用切目の位置が熱接着部内に位置すると、蓋材を容器のフランジ部に熱接着した際に、剥離開始用切目が形成された熱接着性樹脂層が再接着し、ハーフカットの効果が消滅し、開口が形成されないことがあったが、本発明は、このような問題点を解決し、剥離開始用切目が熱接着部内に位置しても確実に開口できる。
【００２５】
図４は、容器開口部に接着した本発明の第一実施形態の蓋材の外蓋を部分的に剥離した状態を示す断面図である。図３、図４に示すように本発明の蓋材Ａの摘み部２を摘み引っ張り上げると、熱接着部６の外縁で、まず、イージーピール性樹脂層３１の熱接着性樹脂層３１ａが破断し、熱接着性樹脂層３１ａとコア層３１ｂとの間で層間剥離が発生し、さらに剥離が進み、剥離開始用切目４に達すると剥離する層間の移行が起こり、接着樹脂層２０と剥離剤層１２との間が剥離し、摘み部２の部分は内蓋３０が外蓋１０に接着した状態で、剥離開始用切目４より内側は内蓋３０と接着樹脂層２０とは容器Ｂに接着した状態で剥離が進み、開口用切目３に達すると開口用切目３に囲まれた接着樹脂層２０と内蓋３０は外蓋１０に接着した状態で切り取られ、容器Ｂの上面には開口用切目３で囲まれた角丸の略四角形の開口７が形成され、開口７より内容物を取り出すことができる。
【００２６】
本発明に係る蓋材の第二実施形態は図５、図６に示す通りである。図５に示すように蓋材Ａ’は、略四角形状であり、外周縁の対向する角部に外方に突出する湯切り孔形成用摘み部２’ａと開封用摘み部２’ｂとを備え、四角形状の開口部を有する容器の開口部周縁に設けられたフランジ部に熱接着して容器を密封する蓋材として使用されるものであり、焼きそば等の即席食品をお湯で調理して、調理後、不要となったお湯を排湯するという用途に好ましく使用される。蓋材Ａ’の大きさは、容器のフランジ部の外周縁と略同じ大きさか、あるいはやや大きくするのが好ましく、蓋材Ａ’の形状はフランジ部の外周縁の形状に合わせて決定すればよく、四角形状以外に円形、楕円形、角形等にすることができる。図５の（イ）は、蓋材Ａ’の外面側から見た平面図であり、外蓋１０’が見えている状態を示す。蓋材Ａ’の外面には販売促進のためのデザインや商品の内容等について印刷が施されている（図示しない）。図５の（ロ）は蓋材Ａ’の内面側（容器に熱接着される面側）から見た底面図であり、内蓋３０を構成するイージーピール性樹脂層３１が見えている状態を示している。蓋材Ａ’の内面には複数個の湯切り口形状の湯切り孔切目３’が形成されている。湯切り孔切目３’は閉じた形状であれば円形、楕円形、四角形等、湯切りのしやすさにより任意に形成できる。また、湯切り孔形成用摘み部２’ａと湯切り孔切目３’との間には、内蓋３０を二分する湯切り孔形成用切目４’が形成されている。
【００２７】
図６は、本発明の蓋材Ａ’の図５（イ）におけるＹ−Ｙ断面図を示す。図６に示すように本発明の蓋材Ａ’は、透明なプラスチックフィルムからなる表面層１３と基材層１１が接着剤層１４を介して積層された外蓋１０’と、中間層３２としてアルミニウム箔と最内層にイージーピール性樹脂層３１が積層された内蓋３０とが接着樹脂層２０を介して積層された構成である。外蓋１０’と内蓋３０との間には、剥離剤層１２を備えた易剥離領域Ｓと、易剥離領域Ｓに隣接して剥離剤層を有していない非剥離領域Ｎとが配設されている。易剥離領域Ｓは、湯切り孔形成用摘み部２’ａ側の湯切り孔形成用切目４’、湯切り孔切目３’を含む領域に形成され、湯切り孔形成用摘み部２’ａに隣接する両辺の約１／２の点を結ぶ部分で非剥離領域Ｎと区画されている。易剥離領域Ｓは、通常、蓋材Ａ’の面積の半分以下でよい。易剥離領域Ｓ内にはイージーピール性樹脂層３１側から内蓋３０と接着樹脂層２０を貫通する閉じた形状の湯切り孔切目３’が形成され、湯切り孔切目３’で囲まれた領域内は剥離剤層がなく接着樹脂層２０を介して内蓋３０と外蓋１０’は接着されている。湯切り孔切目３’に囲まれた領域内に剥離剤層があってもよいが、剥離剤層がない方が内蓋３０に確実に湯切り孔が形成できるので好ましい。また、湯切り孔形成用摘み部２’ａと湯切り孔切目３’との間には内蓋３０を二分しイージーピール性樹脂層３１側から内蓋３０と接着樹脂層２０を貫通する湯切り孔形成用切目４’が形成されている。湯切り孔形成用切目４’はフランジ部に略沿った形状で形成されている。なお、湯切り孔形成用切目４’が容器のフランジ部より開口部側と対向する位置にならないように形成することが肝要である。
【００２８】
蓋材の積層構成、および各層に使用される素材、並びに湯切り孔切目３’、湯切り孔形成用切目４’の形成方法は第一実施形態と同様であり説明を省略する。
【００２９】
図７は、本発明の第二実施形態の蓋材Ａ’を容器の開口部に接着した状態を示す断面図である。本発明の蓋材Ａ’の使用状態は、図７に示すように、例えば略四角形の開口部の周縁にフランジ部５を有するトレー状の容器Ｂ’に焼きそば等の即席麺とプラスチックフィルム製の小袋に密封包装された具材、スープ等を収容し、開口部に蓋材Ａ’を覆い被せてフランジ部５に蓋材Ａ’を熱接着して取付け、容器Ｂ’を蓋材Ａ’で密封したものである。熱接着部６は蓋材Ａ’の周縁より内側の位置に所定巾で略四角形状に形成される。蓋材Ａ’を容器Ｂ’に熱接着して熱接着部６にて取り付けた際に、湯切り孔形成用切目４’が熱接着部６の外側に位置するか、乃至は熱接着部６内に位置していてもよい。図７には、湯切り孔形成用切目４’がフランジ部５と重なった位置、つまり、熱接着部６内にある状態の例を示す。従来の蓋材であれば湯切り孔形成用切目の位置が熱接着部内に位置すると、蓋材を容器のフランジ部に熱接着した際に、湯切り孔形成用切目が形成された熱接着性樹脂層が再接着し、ハーフカットの効果が消滅し、湯切り孔が形成されないことがあったが、本発明は、このような問題点を解決し、湯切り孔形成用切目が熱接着部内に位置しても確実に湯切り孔を形成できる。
【００３０】
図７に示す蓋材Ａ’を取付けた容器を使用するには、先ず、蓋材Ａ’の開封用摘み部２’ｂを摘んで蓋材Ａ’を容器Ｂ’から所定の距離だけ引き剥がして部分的に容器の口部に開口部を設け、容器内に収納されている小袋に密封包装された具材、スープ等を取り出し、必要とされる具材等を容器内に投入した後に、開口部から容器Ｂ’内に熱湯を所定の水位まで注いだ後に蓋材Ａ’で開口部を塞ぎ一定時間湯戻しする。図８に示すように、内容物が湯戻しされた後、湯切りを行うには、蓋材Ａ’の湯切り孔形成用摘み部２’ａを摘んで上方に引っ張り上げることにより、熱接着部６の外縁で、まず、イージーピール性樹脂層３１の熱接着性樹脂層３１ａが破断し、熱接着性樹脂層３１ａとコア層３１ｂとの間で層間剥離が発生し、さらに剥離が進み、湯切り孔形成用切目４’に達すると剥離する層間の移行が起こり、接着樹脂層２０と剥離剤層１２との間が剥離し、湯切り孔形成用摘み部２’ａの部分は内蓋３０が外蓋１０’に接着した状態で、湯切り孔形成用切目４’より内側は内蓋３０と接着樹脂層２０とが容器Ｂ’に接着した状態で剥離が進み、湯切り孔切目３’に達すると、湯切り孔切目３’に囲まれた接着樹脂層２０と内蓋３０は外蓋１０’に接着した状態で切り取られるので容器Ｂ’の上面には湯切り孔切目３’で囲まれた湯切り口形状の湯切り孔８が複数個形成される。而して、湯切り孔８を下方にして容器Ｂ’を傾けることにより湯切り孔８から容器Ｂ’内のお湯を排出させることができる。湯切り後、開封用摘み部２’ｂを摘んで蓋材Ａ’を容器Ｂ’から剥離する。その後、添付のスープやふりかけ等をかけて食する。なお、蓋材Ａ’の開封用摘み部２’ｂを摘んで蓋材Ａ’を容器Ｂ’から引き剥がした場合には、図示しないが蓋材Ａ’の開封用摘み部２’ｂを摘んで上方に引っ張り上げることにより、熱接着部６の外縁で、まず、イージーピール性樹脂層３１の熱接着性樹脂層３１ａが破断し、熱接着性樹脂層３１ａとコア層３１ｂとの間で層間剥離が発生し、さらに剥離が進み、熱接着部６の内縁に達すると再び熱接着性樹脂層３１ａが破断し、容器Ｂ’と蓋材Ａ’とが剥離される。つまり、熱接着部６に沿って、熱接着性樹脂層３１ａが破断し、破断した熱接着性樹脂層３１ａの小片が熱接着部６に接着した状態となっている。
【００３１】
次に本発明について実施例を挙げてさらに詳しく説明する。
【実施例１】
【００３２】
基材層に片面コート紙７９．１ｇ／ｍ2 を用い、コート面にウレタン系のグラビアインキを用いて所定の絵柄を、非コート面に絵柄に見当を合せて硝化綿・ポリアミド系のグラビアインキを用いて部分的に剥離剤層を、グラビア印刷機により両面印刷して＜絵柄印刷／紙／剥離剤層＞なる構成の外蓋シートを作製した。次に中間層にアルミニウム箔（Ａｌ）１５μｍ、イージーピール性樹脂層として熱接着性樹脂層にポリスチレン樹脂を用い、ラミネート樹脂層／コア層／熱接着性樹脂層の厚さ３５μｍの３層共押出しフィルム（ＥＰ）を用い、接着樹脂層に低密度ポリエチレン（ＰＥ）を用いてエクストルージョン法により、外蓋シートの剥離剤層面とアルミニウム箔（Ａｌ）１５μｍとをＰＥを熱溶融させながら厚さ１５μｍとしてサンドイッチラミネーションし、Ａｌの反対面にポリエステル−イソシアネート系接着剤を塗布し、接着剤層を形成し、ＥＰのラミネート樹脂層面をドライラミネーション法（ＤＬ）により貼合し、＜Ａｌ／ＤＬ／ＥＰ＞なる構成の内蓋シートを作製すると同時に＜絵柄印刷／紙７９．１ｇ／ｍ2 ／剥離剤層／ＰＥ１５μｍ／Ａｌ１５μｍ／ＤＬ／ＥＰ３５μｍ＞なる構成の蓋材用シートを作製した。なお、ＥＰには、＜熱接着性樹脂層５μｍ／コア層１０μｍ／ラミネート樹脂層２０＞なる構成のフィルム（住化プラステック株式会社製、商品名：アシストＭＳ４３０）を用いた。
【００３３】
その後、蓋材用シートの巻取に所定の開口用切目および剥離開始用切目を有する抜き型を備えたロータリーダイカッターでＥＰ面から内蓋と接着樹脂層を貫通するハーフカットを施し所定の開口用切目および剥離開始用切目を形成した。その後、断裁、抜き加工をして図１に示す蓋材Ａを作製した。
【００３４】
上記で作製した蓋材Ａを発泡ポリスチレン製のカップ形状のインジェクション容器のフランジ部に熱接着して容器を密封した。剥離開始用切目と熱接着部６との位置関係について、剥離開始用切目が熱接着部６内にある状態（サンプルＡ）と、熱接着部６の外側縁とほぼ同じ位置の状態（サンプルＢ）と、熱接着部６の外側縁よりやや外側に位置する状態（サンプルＣ）とで熱接着して３種類のサンプルＡ、Ｂ、Ｃを作製した。その後、各サンプルについて蓋材を摘み部より引っ張り上げて容器から剥離し開封性を評価した。開封性の評価基準は、剥離開始用切目より外蓋が剥離剤層と接着樹脂層との間で剥離して、容器に接着された接着樹脂層と内蓋に開口を形成することができたものを良好と判定した。
【００３５】
開封性を評価した結果、サンプルＡ、サンプルＢ、サンプルＣのいずれについても開封性は良好であった。開封開始点についてはサンプルＢ、Ｃは剥離開始用切目であった。サンプルＡの開封開始点は、熱接着部６の外縁であり、該開封開始点で熱接着性樹脂層が破断し、熱接着性樹脂層とコア層との層間で剥離し、剥離開始用切目に剥離が到達するものであった。
【実施例２】
【００３６】
基材層に片面コート紙７９．１ｇ／ｍ2 を用い、コート面にウレタン系のグラビアインキを用いて所定の絵柄を、非コート面に絵柄に見当を合せて硝化綿・ポリアミド系のグラビアインキを用いて部分的に剥離剤層を、グラビア印刷機により両面印刷して形成した。次に厚さ１２μｍの片面コロナ処理を施した二軸延伸ポリエチレンテレフタレートフィルム（ＰＥＴ）を表面層として用いて該コロナ処理面にポリエステル−イソシアネート系接着剤を塗布し、接着剤層を形成し、両面コート紙の絵柄面とをドライラミネーション法（ＤＬ）により貼合して＜ＰＥＴ／ＤＬ／絵柄印刷／紙／剥離剤層＞なる構成の外蓋シートを作製した。次に中間層、イージーピール性樹脂層には、実施例１と同じ厚みの同じ材料を用い、接着樹脂層に低密度ポリエチレン（ＰＥ）を用いてエクストルージョン法により、外蓋シートの剥離剤層面とアルミニウム箔（Ａｌ）１５μｍとをＰＥを熱溶融させながら厚さ１５μｍとしてサンドイッチラミネーションし、Ａｌの反対面にポリエステル−イソシアネート系接着剤を塗布し、接着剤層を形成し、ＥＰのラミネート樹脂層面をドライラミネーション法（ＤＬ）で貼合し、＜Ａｌ／ＤＬ／ＥＰ＞なる構成の内蓋シートを作製すると同時に＜ＰＥＴ１２μｍ／ＤＬ／絵柄印刷／紙７９．１ｇ／ｍ2 ／剥離剤層／ＰＥ１５μｍ／Ａｌ１５μｍ／ＤＬ／ＥＰ３５μｍ＞なる構成の湯切り孔付き蓋材用シートを作製した。
【００３７】
その後、湯切り孔付き蓋材用シートの巻取に所定の湯切り孔切目および湯切り孔形成用切目を有する抜き型を備えたロータリーダイカッターでＥＰ面から内蓋と接着樹脂層を貫通するハーフカットを施し所定の湯切り孔切目、湯切り孔形成用切目を形成した。その後、断裁、抜き加工をして図５に示す湯切り孔付き蓋材Ａ’を作製した。
【００３８】
容器に発泡ポリスチレン製の四角形のトレー形状の成形容器を用い、上記で作製した蓋材Ａ’を該成形容器のフランジ部に熱接着して容器を密封した。湯切り孔形成用切目と熱接着部６との位置関係について、湯切り孔形成用切目が熱接着部６内にある状態（サンプルＤ）と、熱接着部６の外側縁とほぼ同じ位置の状態（サンプルＥ）と、熱接着部６の外側縁よりやや外側に位置する状態（サンプルＦ）とで熱接着して３種類のサンプルＤ、Ｅ、Ｆを作製した。その後、各サンプルについて蓋材を湯切り孔形成用摘み部より引っ張り上げて容器から剥離し開封性を評価した。開封性の評価基準は、湯切り孔形成用切目より外蓋が剥離剤層と接着樹脂層との間で剥離して、容器に接着された接着樹脂層と内蓋に湯切り孔を形成することができたものを良好と判定した。
【００３９】
開封性を評価した結果、サンプルＤ、サンプルＥ、サンプルＦのいずれについても開封性は良好であった。開封開始点についてはサンプルＥ、Ｆは湯切り孔形成用切目であった。サンプルＤの開封開始点は、熱接着部６の外縁であり、該開封開始点で熱接着性樹脂層が破断し、熱接着性樹脂層とコア層との層間で剥離し、湯切り孔形成用切目に剥離が到達するものであった。
【符号の説明】
【００４０】
２                                      摘み部
２’ａ                                  湯切り孔形成用摘み部
２’ｂ                                  開封用摘み部
３                                      開口用切目
３’                                    湯切り孔切目
４                                      剥離開始用切目
４’                                    湯切り孔形成用切目
５                                      フランジ部
６                                      熱接着部
７                                      開口
８                                      湯切り孔
１０、１０’                            外蓋
１１                                    基材層
１２                                    剥離剤層
１３                                    表面層
１４                                    接着剤層
２０                                    接着樹脂層
３０                                    内蓋
３１                                    イージーピール性樹脂層
３１ａ                                  熱接着性樹脂層
３１ｂ                                  コア層
３１ｃ                                  ラミネート樹脂層
３２                                    中間層
Ａ、Ａ’                                蓋材
Ｂ、Ｂ’                                容器
Ｓ                                      易剥離領域
Ｎ                                      非剥離領域
【図１】
0005569056.tif 000002
【図２】
0005569056.tif 000003
【図３】
0005569056.tif 000004
【図４】
0005569056.tif 000005
【図５】
0005569056.tif 000006
【図６】
0005569056.tif 000007
【図７】
0005569056.tif 000008
【図８】
0005569056.tif 000009